(57)【要約】【課題】情報端末の発光のエンターテーメント性を向上させつつ、情報端末の状態変化について、ユーザへのきめ細かい報知を行う。【解決手段】発光制御装置（１）は、情報端末（１００）の状態変化の発生を検知する状態変化検知部（１１）と、情報端末（１００）に設けられた第１発光ユニット（２９）の発光と付属機器（３００）に設けられた第２発光ユニット（３０）の発光とを連動させて制御する発光制御部（１３）と、を備えている。【選択図】図１
2016072777.tif 000002
【特許請求の範囲】
【請求項１】
所定の機能を提供可能な情報端末に状態変化が発生した場合に、上記状態変化の発生を検知する状態変化検知部と、
上記状態変化検知部による検知結果に基づいて、上記情報端末に設けられた第１発光ユニットの発光と、上記情報端末に装着された着脱可能な付属機器に設けられた第２発光ユニットの発光とを、連動させて制御する発光制御部と、を備えていることを特徴とする発光制御装置。
【請求項２】
上記状態変化検知部によって上記状態変化の発生が検知された場合において、上記状態変化に応じて、上記第１発光ユニットの発光に関する第１発光態様および上記第２発光ユニットの発光に関する第２発光態様の少なくとも一方を決定する発光態様決定部をさらに備え、
上記発光制御部は、上記発光態様決定部によって決定された上記第１発光態様および上記第２発光態様の少なくとも一方に係る発光態様に基づいて、上記第１発光ユニットおよび上記第２発光ユニットの発光を制御することを特徴とする請求項１に記載の発光制御装置。
【請求項３】
上記第１発光態様は、上記第１発光ユニットの点滅に関する第１点滅態様および第１発光色の少なくともいずれか一方を含み、
上記第２発光態様は、上記第２発光ユニットの点滅に関する第２点滅態様および第２発光色の少なくともいずれか一方を含み、
上記発光制御部は、上記発光態様決定部による決定結果に基づいて、上記第１発光ユニットを上記第１点滅態様および上記第１発光色の少なくともいずれか一方で発光させ、かつ、上記第２発光ユニットを上記第２点滅態様および上記第２発光色の少なくともいずれか一方で発光させることを特徴とする請求項２に記載の発光制御装置。
【請求項４】
請求項１から３のいずれか１項に記載の発光制御装置を備えることを特徴とする情報端末。
【請求項５】
コンピュータを、請求項１から３のいずれか１項に記載の発光制御装置における各部として機能させるためのプログラム。
【請求項６】
所定の機能を提供可能な情報端末に状態変化が発生した場合に、上記状態変化の発生を検知する状態変化検知工程と、
上記状態変化検知工程による検知結果に基づいて、上記情報端末に設けられた第１発光ユニットの発光と、上記情報端末に装着され着脱可能な付属機器に設けられた第２発光ユニットの発光とを、連動させて制御する発光制御工程と、を含むことを特徴とする発光制御方法。
【発明の詳細な説明】
【技術分野】
【０００１】
本発明は、情報端末の端末本体および付属品に設けられた各発光部の発光を制御する技術に関する。
【背景技術】
【０００２】
従来から、着信、アラーム等があった場合に、その発生を発光部の発光によって報知する、いわゆるスマートフォン、折り畳み式の携帯電話機等の各種情報端末およびこれらの付属機器が広く普及している。例えば、特許文献１には、各機能を実行する制御回路と、当該制御回路により実行中の機能の中から所望の機能を選択する入力部と、当該入力部により選択された機能によって報知させる情報に基づいて発光する発光部と、を備え、当該発光部は、複数の報知情報の内容に応じてそれぞれ異なる態様で発光する携帯電話機が開示されている。また、上記発光部を備えた付属機器としては、例えば、スマートフォンに装着するアクセサリーとして、発光部を備えたいわゆるスマホピアスが市場に広く出回っている。
【先行技術文献】
【特許文献】
【０００３】
【特許文献１】特開２００９−１４７７７７号公報（２００９年７月２日公開）
【発明の概要】
【発明が解決しようとする課題】
【０００４】
しかしながら、特許文献１に開示された携帯電話機は、当該携帯電話機に装着可能な付属機器の発光部の発光と連動するように自らの発光部を発光させることで、携帯電話機の状態変化をユーザに報知するものではない。また、上記スマホピアスの発光部の発光も、スマートフォンの発光部の発光と連動して発光するものではない。そのため、上記携帯電話機およびスマートフォンに発光部を備えた付属機器を装着した場合に、各発光部の発光のエンターテーメント性が低いという問題点があった。また、発光の表現パターンも少ないため、上記携帯電話機等に状態変化が発生した場合に、当該発生した状態変化を上記両発光部の発光によって表現することでユーザに報知することが、十分にできないという問題があった。
【課題を解決するための手段】
【０００５】
上記の課題を解決するために、本発明の一態様に係る発光制御装置は、所定の機能を提供可能な情報端末に状態変化が発生した場合に、上記状態変化の発生を検知する状態変化検知部と、上記状態変化検知部による検知結果に基づいて、上記情報端末に設けられた第１発光ユニットの発光と、上記情報端末に装着された着脱可能な付属機器に設けられた第２発光ユニットの発光とを、連動させて制御する発光制御部と、を備えている。
【発明の効果】
【０００６】
本発明の一態様によれば、情報端末の発光のエンターテーメント性を向上させつつ、当該情報端末の状態変化について、ユーザへのきめ細かい報知が可能となる。
【図面の簡単な説明】
【０００７】
【図１】本発明の実施形態１〜３に係る情報端末および付属機器の概略を示すブロック図である。
【図２】（ａ）は、上記情報端末の外観図である。（ｂ）は、上記付属機器の外観図である。
【図３】本発明の実施形態１に係る情報端末の記憶部に格納されている第１発光態様テーブルの一例である。
【図４】本発明の実施形態１に係る発光制御装置による、第１発光ユニットおよび第２発光ユニットの発光の制御方法を示すフローチャートである。
【図５】本発明の実施形態２に係る情報端末の記憶部に格納されている第２発光態様テーブルの一例である。
【図６】本発明の実施形態２に係る発光制御装置による、第１発光ユニットおよび第２発光ユニットの発光の制御方法を示すフローチャートである。
【発明を実施するための形態】
【０００８】
〔実施形態１〕
以下、本発明の実施の形態について、図１〜４を参照しながら、詳細に説明する。本実施形態以下の各実施形態においては、発光制御装置がスマートフォンに備えられているものとして説明する。また、付属機器として、スマホピアスを例に挙げて説明する。なお、折り畳み式の携帯電話機、携帯型ゲーム機等の情報端末全般に発光制御装置が備えられていてもよい。また、付属機器はスマホピアスに限定されない。
【０００９】
（情報端末および付属機器の概要）
まず、図２を参照して、情報端末１００および付属機器３００の概要について説明する。図２の（ａ）は、本実施形態に係る情報端末１００の外観図である。また、図２の（ｂ）は、本実施形態に係る付属機器３００の外観図である。図２の（ａ）に示すように、情報端末１００は、片手で把持可能な程度の大きさの筐体１００ａ内部に、当該情報端末１００を構成する各種部品が収容され、配置されたスマートフォンである。筐体１００ａは、その内部に電子回路等の情報端末１００を構成する各種部品が収容され、配置される薄型の部材である。筐体１００ａは例えば板状であり、主として、マイク部２０、スピーカ部２１、表示部２２、操作入力部２３、ジャック部２７および第１発光ユニット２９を備えている。
【００１０】
マイク部２０は、例えば通話中の音声を集音する集音器である。スピーカ部２１は、音声データを含む情報を再生する機能と、ユーザ以外にも聞こえるように音声を出力するスピーカとを備えた再生部である。表示部２２は、情報端末１００に装備されている各種機能（アプリケーションソフト）が実行されることに起因する画像等の各種画像を表示するものであり、筐体１００ａの表面または背面のいずれか一方に設けられる。操作入力部２３は、入力されたユーザ操作を取得するものであり、情報端末１００の電源ＯＮ／ＯＦＦ操作およびロック解除操作も行われる。操作入力部２３は、表示部２２が設けられている筐体１００ａの面（以下、「前面」とする）と同一の面上に設けられる。
【００１１】
ジャック部２７は、付属機器３００およびイヤホン等のその他の付属機器を装着するための穴部、すなわちメス端子である。ジャック部２７に、付属機器３００に設けられた後述するプラグ部３００ａを挿入することで当該付属機器３００が情報端末１００に装着され、発光制御装置１による第１発光ユニット２９および第２発光ユニット３０の発光制御が可能となる。ジャック部２７は、筐体１００ａにおける前面と略直交する面のうち、通話時において重力方向と反対側の方向を向く側の面（以下、「上面」とする）に設けられる。なお、ジャック部２７は、上面に設けられる必要はなく、例えば、上面に対向する面（以下、「下面」とする）に設けられてもよい。
【００１２】
第１発光ユニット２９は、例えば、ＬＥＤ素子または有機ＥＬ（Electro Luminescence）素子等の発光素子を備えており、複数の発光態様で発光する。第１発光ユニット２９は、付属機器３００が情報端末１００に装着されることで、発光制御装置１によってその発光が制御される。第１発光ユニット２９は、筐体１００ａの前面と略直交する、当該筐体１００ａの長手方向に沿った両側の面（以下、「側面」とする）における下面側の端部（以下、「下端部」とする）に設けられる。なお、第１発光ユニット２９は、例えば、筐体１００ａの側面における下端部と対向する端部（以下、「上端部」とする）、または筐体１００ａの前面に設けられてもよい。
【００１３】
次に、図２の（ｂ）に示すように、付属機器３００は、第２発光ユニット３０およびプラグ部３００ａを備えた発光型のスマホピアスであり、第２発光ユニット３０とプラグ部３００ａとは連なって成形されている。第２発光ユニット３０は、第１発光ユニット２９と同様に、例えば、ＬＥＤ素子または有機ＥＬ（Electro Luminescence）素子等の発光素子を備えており、複数の発光態様で発光する。第２発光ユニット３０は、付属機器３００が情報端末１００に装着されることで、発光制御装置１によって第１発光ユニット２９の発光と連動して発光するように制御される。本実施形態においては、第２発光ユニット３０は球状であるものの、例えば、アニメーションにおけるキャラクターの形状等をしていてもよい。プラグ部３００ａは、付属機器３００を情報端末１００に装着するための突起部であり、ジャック部２７への抜き差しが可能なオス端子である。
【００１４】
ここで、第１発光ユニット２９の発光態様は、第１発光態様として、当該発光ユニットが実現する点滅態様である第１点滅態様、および当該発光ユニットが実現する発光色である第１発光色で構成される。また、第２発光ユニット３０の発光態様は、第２発光態様として、当該発光ユニットが実現する点滅態様である第２点滅態様、および当該発光ユニットが実現する発光色である「白色」で構成される。第１点滅態様および第２点滅態様ともに、点滅を繰り返す「スタンダード」、「スタンダード」よりも速い間隔で点滅を繰り返す「ハイスピード」、「スタンダード」よりも遅い間隔で点滅を繰り返す「ロースピード」および点滅の間隔が速くなったり遅くなったりする「ランダム」で構成される（図３参照）。また、第１発光色は、「赤色」、「緑色」、「青色」、「白色」、「黄色」および「赤色／緑色／青色のランダム変化」で構成される（図３参照）。
【００１５】
なお、各点滅態様および第１発光色は上記パターンに限定されない。各点滅態様として、例えば、各発光ユニットがあたかも閃光が走るように発光する「フラッシュ」を含んでいてもよい。また、第１発光色として、例えば、各発光ユニットが同時に複数の色で発光してもよいし、「マゼンタ」、「ピンク」または「シアン」等の色を含んでいてもよい。さらに、各発光態様を構成する各要素も上記場合に限定されない。例えば、当該要素として各発光ユニットの明るさを示す照度を追加し、または他の要素と入れ替えてもよい。
【００１６】
（情報端末および付属機器の具体的構成）
次に、情報端末１００および付属機器３００の具体的構成について、図１を参照しながら説明する。図１は、情報端末１００および付属機器３００の具体的構成を示すブロック図である。図１に示すように、情報端末１００は、制御部１０、マイク部２０、スピーカ部２１、表示部２２、操作入力部２３、バッテリー部２４、無線部２５、アンテナ部２６、ジャック部２７、記憶部２８および第１発光ユニット２９を備えている。また、付属機器３００は、第２発光ユニット３０を備えている。
【００１７】
制御部１０は、情報端末１００を統括的に制御するものであり、発光制御装置１を備えている。発光制御装置１は、第１発光ユニット２９の発光と第２発光ユニット３０の発光とを連動させて制御するための各種処理を統括するものであり、その詳細については後述する。バッテリー部２４は、情報端末１００を構成する各部に電力の供給を行う。無線部２５は、アンテナ部２６を介して音声データ等の各種データの送受信を行う。記憶部２８は、第１発光態様テーブル２８ａおよび制御部１０が実行する各種の制御プログラム等を記憶するものであり、例えば、ハードディスク、フラッシュメモリなどの不揮発性の記憶装置によって構成される。第１発光態様テーブル２８ａの詳細については後述する。
【００１８】
次に、発光制御装置１の具体的構成について説明する。発光制御装置１は、状態変化検知部１１、発光態様決定部１２および発光制御部１３を備えている。状態変化検知部１１は、情報端末１００における状態変化の発生を検知し、その旨の検知結果を発光態様決定部１２に送信する。ここで、情報端末１００の状態変化とは、「音声着信時」、「メール着信あり」、「アラーム開始時」、「充電開始時」、「表示部点灯時」、「不在着信あり」および「付属機器挿入時／抜出時」といった、情報端末１００が提供する各種機能および当該情報端末１００を構成する各種部品に変化があった場合を指す。また、「電源ＯＮ／ＯＦＦ」および「ロック解除時」といった、ユーザ操作によって上記各種機能等に変化があった場合も含まれる。なお、情報端末１００の状態変化は上記場合に限定されず、例えば、「ＴＶ再生開始時」、「録画予約開始時」、「ゲームアプリケーションの選択」、「アプリケーションのダウンロード完了時」および「日付変更時（ユーザが夜中に情報端末１００を使用していた場合において、23:59→00:00と日付をまたいだ時点）」等も上記状態変化に含んでよい。
【００１９】
発光態様決定部１２は、状態変化検知部１１から情報端末１００に状態変化が発生した旨の検知結果を受信した場合に、第１発光態様テーブル２８ａを参照して、当該発生した状態変化に対応付けられた第１発光態様および第２発光態様を決定する。そして、決定結果を発光制御部１３に送信する。
【００２０】
ここで、第１発光態様テーブル２８ａは、図３に示すように、情報端末１００の状態変化と第１発光態様（第１点滅態様および第１発光色）と第２発光態様（第２点滅態様および第２発光ユニット３０の発光色である白色）との対応関係を表すデータテーブルである。なお、図３において、説明の便宜上、第２発光ユニット３０の発光色の欄は省略している。
【００２１】
例えば、情報端末１００の状態変化として「ユーザにとって一番の友人であるＡさんからの音声着信」があった場合、当該着信の事実をユーザが確実に認知できるようにする必要がある。そのため、第１点滅態様として点灯時間が長い「ロースピード」が、第１発光色として緊急性をアピールできる「赤色」が、それぞれ上記「音声着信」に対応付けられる。また、第１点滅態様と第２点滅態様とを異ならせることで、情報端末１００および付属機器３００の全体として、発光のエンターテーメント性が向上するとともに当該発光が際立つよう、第２点滅態様として「ランダム」が対応付けられる。また、例えば、上記状態変化として情報端末１００を「電源ＯＮ」した場合、当該事実は、情報端末１００の各種機能が提供可能な状態になること等でユーザが十分に認知できる。そのため、第１点滅態様として「スタンダード」が、第１発光色として第２発光ユニット３０の発光色と同色の「白色」が、それぞれ「電源ＯＮ」に対応付けられる。また、情報端末１００および付属機器３００の全体としての発光を際立たせる必要もあまりないため、第２点滅態様として、第１点滅態様と同様の「スタンダード」が対応付けられる。図３におけるその他の状態変化についても、ユーザ対応の必要性の程度、第１発光ユニット２９の発光と第２発光ユニット３０の発光との連動性および発光のエンターテーメント性の観点から、各点滅態様および第１発光色が対応付けられる。
【００２２】
なお、図３に示す対応付けは一例であり、各状態変化に対して、異なる各点滅態様および第１発光色が対応付けられてもよい。また、上記各点滅態様および第１発光色は、例えば、情報端末１００の生産時にあらかじめ設定されてもよいし、操作入力部２３からのユーザ入力によって任意に設定されてもよい。
【００２３】
発光制御部１３は、付属機器３００が情報端末１００に装着された状態において、発光態様決定部１２による決定結果を受信した場合、各発光ユニットを受信した決定結果に基づいて、すなわち決定された第１発光態様および第２発光態様で発光させる。発光制御部１３による発光制御は、第１発光ユニット２９に流れる電流値を変化させることで、発光素子におけるＲ（ＲＥＤ；赤）要素、Ｇ（ＧＲＥＥＮ；緑）要素およびＢ（ＢＬＵＥ；青）要素の光の強さを変化させ、第１発光色として様々な色を実現する。なお、第２発光ユニット３０については、白色１要素のみの制御が行われ、単色での発光となる。また、各発光ユニットに流れる電流値を動的に変化させることにより、単色または多色（色を入れ替えながら；第１発光ユニット２９の場合）で、かつ、様々な点滅間隔で各発光ユニットを点滅させる。さらに、各発光ユニットの発光を同時に行ったり、決定された各発光態様に応じて各発光ユニットの発光開始を意図的にずらす等して、両者の発光が全体として統一感を持つように、第２発光ユニット３０の発光を第１発光ユニット２９の発光に連動させる。
【００２４】
（発光制御装置による第１発光ユニットおよび第２発光ユニットの発光の制御方法）
次に、図４を用いて、発光制御装置１による第１発光ユニット２９および第２発光ユニット３０の発光の制御方法について説明する。図４は、上記制御方法を示すフローチャートである。図４に示すように、まず、状態変化検知部１１によって、情報端末１００に状態変化が発生したことが検知された場合（ステップ１００でＹＥＳ；以下、「Ｓ１００でＹ」と略記する）、状態変化検知部１１は、その旨の検知結果を発光態様決定部１２に送信する。一方、Ｓ１００でＮＯ（以下、「Ｎ」と略記する）と判定した場合、状態変化検知部１１は、上記状態変化の発生の有無を再び検知する。
【００２５】
次に、発光態様決定部１２は、状態変化検知部１１から上記状態変化の発生を検知した旨の検知結果を受信した場合、第１発光態様テーブル２８ａを参照して、第１点滅態様、第１発光色および第２点滅態様を決定する（Ｓ１０１）。そして、決定結果を発光制御部１３に送信する。次に、発光制御部１３は、発光態様決定部１２から受信した決定結果に基づいて、すなわち発光態様決定部１２によって決定された各点滅態様および第１発光色で第１発光ユニット２９および第２発光ユニット３０を発光させる（Ｓ１０２）。
【００２６】
（効果）
以上のように、本実施形態によれば、発光制御装置１は、第１発光ユニット２９の発光と第２発光ユニット３０の発光とを連動させて制御する。そのため、ユーザが両発光ユニットの連動した発光を楽しむことができるという、発光のエンターテーメント性が向上する。また、発光のバリエーションが増加するため、情報端末１００の様々な状態変化を当該状態変化に応じた発光によって報知することができ、情報端末１００の状態変化について、ユーザへのきめ細かい報知が可能となる。
【００２７】
また、発光制御装置１は、第１発光ユニット２９および第２発光ユニット３０が第１発光態様および第２発光態様で発光するよう制御する。上記各発光態様があらかじめ設定されている場合には、例えば、発生した状態変化に対するユーザ対応の必要性に応じて上記各発光態様を設定することができる。また、上記各発光態様をユーザが任意に設定できるのであれば、当該各発光態様をユーザの好みに応じてユーザカスタマイズすることができる。そのため、第１発光ユニット２９および第２発光ユニット３０の発光による情報端末１００の状態変化の報知について、そのバリエーションが豊富になる。
【００２８】
〔実施形態２〕
本発明の他の実施形態について、図１、２、５および６に基づいて説明すれば、以下のとおりである。なお、説明の便宜上、前記実施形態にて説明した部材と同じ機能を有する部材については、同じ符号を付記し、その説明を省略する。
【００２９】
本実施形態に係る情報端末２００は、第２発光態様テーブル２８ｂが記憶部２８に格納されている点で実施形態１に係る発光制御装置１と異なる（図１参照）。また、本実施形態に係る発光制御装置２は、発光制御部１３が、第２発光ユニット３０の発光素子について、Ｒ要素、Ｇ要素およびＢ要素の光の強さを変化させる点で実施形態１に係る発光制御装置１と異なる。したがって、第２発光ユニット３０においても、様々な発光色を第２発光色として実現することが可能となる。さらに、発光態様決定部１２が、第２発光態様テーブル２８ｂを参照して、第２発光ユニット３０の第２発光態様として、第２点滅態様に加えて当該発光ユニットが実現する発光色である第２発光色をも決定する点で、実施形態１に係る発光制御装置１と異なる。
【００３０】
ここで、第２発光態様テーブル２８ｂは、図５に示すように、情報端末２００の状態変化と、第１点滅態様、第１発光色、第２発光態様および第２発光色との対応関係を表すデータテーブルである。第１発光ユニット２９の発光と第２発光ユニット３０の発光とでユーザに報知される情報端末２００の状態変化については、第１発光態様テーブル２８ａにおいて列挙されている情報端末１００の状態変化の内容と同一である（図３参照）。また、各状態変化と、第１点滅態様、第１発光色、第２発光態様および第２発光色との対応付けについては、第１発光態様テーブル２８ａと同様、ユーザ対応の必要性の程度、第１発光ユニット２９の発光と第２発光ユニット３０の発光との連動性および発光のエンターテーメント性の観点から対応付けがなされる。
【００３１】
なお、図５に示す対応付けは一例であり、各状態変化に対して、異なる各点滅態様および各発光色が対応付けられてもよい。また、各点滅態様および各発光色は、例えば、情報端末２００の生産時にあらかじめ設定されてもよいし、操作入力部２３からのユーザ入力によって任意に設定されてもよい。
【００３２】
（発光制御装置による第１発光ユニットおよび第２発光ユニットの発光の制御方法）
次に、図６を用いて、発光制御装置２による第１発光ユニット２９および第２発光ユニット３０の発光の制御方法について説明する。図６は、上記制御方法を示すフローチャートである。なお、図６のフローチャートにおけるＳ２００の処理は、図４のフローチャートにおけるＳ１００の処理と同様であるため、その説明を省略する。
【００３３】
図６に示すように、発光態様決定部１２は、状態変化検知部１１から情報端末２００に状態変化が発生したことを検知した旨の検知結果を受信した場合、第２発光態様テーブル２８ｂを参照して、第１点滅態様、第１発光色、第２点滅態様および第２発光色を決定する（Ｓ２０１）。そして、決定結果を発光制御部１３に送信する。次に、発光制御部１３は、発光態様決定部１２から受信した決定結果に基づいて、すなわち発光態様決定部１２によって決定された各点滅態様および各発光色で第１発光ユニット２９および第２発光ユニット３０を発光させる（Ｓ２０２）。
【００３４】
（効果）
以上のように、本実施形態によれば、最大で、第１点滅態様、第１発光色、第２点滅態様および第２発光色の４種類のパラメータを用いて、第１発光態様および第２発光態様を変化させることができる。そのため、第１発光ユニット２９および第２発光ユニット３０の発光による情報端末２００の状態変化の報知について、そのバリエーションがより豊富になる。
【００３５】
〔実施形態３：ソフトウェアによる実現例〕
発光制御装置１および２の制御ブロック（特に制御部１０および発光制御部１３）は、集積回路（ＩＣチップ）等に形成された論理回路（ハードウェア）によって実現してもよいし、ＣＰＵ（Central Processing Unit）を用いてソフトウェアによって実現してもよい。
【００３６】
後者の場合、発光制御装置１および２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００３７】
〔まとめ〕
本発明の態様１に係る発光制御装置（１、２）は、所定の機能を提供可能な情報端末（１００、２００）に状態変化が発生した場合に、上記状態変化の発生を検知する状態変化検知部（１１）と、上記状態変化検知部による検知結果に基づいて、上記情報端末に設けられた第１発光ユニット（２９）の発光と、上記情報端末に装着された着脱可能な付属機器（３００）に設けられた第２発光ユニット（３０）の発光とを、連動させて制御する発光制御部（１３）と、を備えている。
【００３８】
上記構成によれば、発光制御部は、状態変化検知部による情報端末の状態変化に関する検知結果に基づいて、情報端末に設けられた第１発光ユニットの発光と付属機器に設けられた第２発光ユニットの発光とを連動させて制御する。そのため、ユーザが両発光ユニットの連動した発光を楽しむことができるという、発光のエンターテーメント性が向上する。また、発光のバリエーションが増加するため、情報端末の様々な状態変化を当該状態変化に応じた発光によって報知することができ、情報端末の状態変化について、ユーザへのきめ細かい報知が可能となる。
【００３９】
本発明の態様２に係る発光制御装置（１、２）は、上記態様１において、上記状態変化検知部（１１）によって上記状態変化の発生が検知された場合において、上記状態変化に応じて、上記第１発光ユニット（２９）の発光に関する第１発光態様および上記第２発光ユニット（３０）の発光に関する第２発光態様の少なくとも一方を決定する発光態様決定部（１２）をさらに備え、上記発光制御部（１３）は、上記発光態様決定部によって決定された上記第１発光態様および上記第２発光態様の少なくとも一方に係る発光態様に基づいて、上記第１発光ユニットおよび上記第２発光ユニットの発光を制御してもよい。
【００４０】
上記構成によれば、発光制御部は、第１発光ユニットおよび第２発光ユニットの少なくとも一方が、発光態様決定部によって決定された第１発光態様および第２発光態様の少なくとも一方で発光するよう、上記各発光部の発光を制御する。したがって、上記各発光態様があらかじめ設定されている場合には、例えば、発生した状態変化がアラームであれば、その緊急性ゆえ第１発光ユニットおよび第２発光ユニットの少なくとも一方が赤色で発光する等、発生した状態変化に対するユーザ対応の必要性に応じて上記各発光態様を設定することができる。また、上記各発光態様をユーザが任意に設定できるのであれば、当該各発光態様をユーザの好みに応じてユーザカスタマイズすることができる。そのため、第１発光ユニットおよび第２発光ユニットの発光による情報端末の状態変化の報知について、そのバリエーションが豊富になる。
【００４１】
本発明の態様３に係る発光制御装置（１、２）は、上記態様２において、上記第１発光態様は、上記第１発光ユニット（２９）の点滅に関する第１点滅態様および第１発光色の少なくともいずれか一方を含み、上記第２発光態様は、上記第２発光ユニット（３０）の点滅に関する第２点滅態様および第２発光色の少なくともいずれか一方を含み、上記発光制御部（１３）は、上記発光態様決定部（１２）による決定結果に基づいて、上記第１発光ユニットを上記第１点滅態様および上記第１発光色の少なくともいずれか一方で発光させ、かつ、上記第２発光ユニットを上記第２点滅態様および上記第２発光色の少なくともいずれか一方で発光させてもよい。
【００４２】
上記構成によれば、最大で、第１点滅態様、第１発光色、第２点滅態様および第２発光色の４種類のパラメータを用いて、第１発光態様および第２発光態様を変化させることができる。そのため、第１発光ユニットおよび第２発光ユニットの発光による情報端末の状態変化の報知について、そのバリエーションがより豊富になる。
【００４３】
本発明の態様４に係る情報端末（１００、２００）は、上記態様１から３のいずれか一の態様に係る発光制御装置（１、２）を備えていてもよい。上記構成によれば、付属機器を装着することによって、発光のエンターテーメント性が向上する情報端末を実現することができるとともに、情報端末の状態変化についてユーザへのきめ細かい報知が可能となった当該情報端末を実現することができる。
【００４４】
本発明の態様５に係る発光制御方法は、所定の機能を提供可能な情報端末に状態変化が発生した場合に、上記状態変化の発生を検知する状態変化検知工程と、上記状態変化検知工程による検知結果に基づいて、上記情報端末に設けられた第１発光ユニットの発光と、上記情報端末に装着され着脱可能な付属機器に設けられた第２発光ユニットの発光とを、連動させて制御する発光制御工程と、を含んでいる。
【００４５】
上記構成によれば、付属機器を情報端末に装着することによって、発光のエンターテーメント性を向上させた発光制御方法を実現することができるとともに、情報端末の状態変化についてユーザへのきめ細かい報知が可能となった発光制御方法を実現することができる。
【００４６】
本発明の各態様に係る発光制御装置は、コンピュータによって実現してもよく、この場合には、コンピュータを上記発光制御装置が備える各手段として動作させることにより上記発光制御装置をコンピュータにて実現させる発光制御装置の発光制御プログラム、およびそれを記録したコンピュータ読み取り可能な記録媒体も、本発明の範疇に入る。
【００４７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００４８】
本発明は、端末本体および付属品のそれぞれに発光部が設けられている情報端末全般に利用することができる。
【符号の説明】
【００４９】
１、２          発光制御装置
２９            第１発光ユニット
３０            第２発光ユニット
１００、２００  情報端末
３００          付属機器
【図１】
2016072777.tif 000003
【図２】
2016072777.tif 000004
【図３】
2016072777.tif 000005
【図４】
2016072777.tif 000006
【図５】
2016072777.tif 000007
【図６】
2016072777.tif 000008